(57)【要約】【課題】  浴槽に入って入浴する入浴者が浴槽内で身体を動かすことなく、入浴者の異なる部位に順番に集中的に水流を当てながら異なる部位をそれぞれ順番に効果的にマッサージできる。【解決手段】  浴槽１に、入浴者Ｍに向けて水流を噴出させるための噴出口２を設ける。噴出口２から水流を噴出する際、噴出方向を変化させつつ噴出させるための噴出方向可変手段３を設ける。【選択図】        図１
2006325992.tif 000002
【特許請求の範囲】
【請求項１】
浴槽に、入浴者に向けて水流を噴出させるための噴出口を設け、該噴出口から水流を噴出する際、噴出方向を変化させつつ噴出させるための噴出方向可変手段を設けて成ることを特徴とする水流噴出装置。
【請求項２】
噴出口に異なる方向から水を流入して合流させる複数の流路を設けると共に、上記複数の流路に供給する水の流量比を変化させながら合流した水の噴出口から噴出する方向を可変させるように構成し、上記噴出口と、噴出口内に水を流入させて合流させるための複数の流路と、複数の流路に供給する水の流量比を可変するための流量可変手段とで上記噴出方向可変手段を構成して成ることを特徴とする請求項１記載の水流噴出装置。
【請求項３】
上記流量可変手段を、ポンプから供給される水を複数の流路に流量比を変えながら供給するための電動弁により構成し、該電動弁を、弁本体に設けた孔に嵌め込まれてモータにより回動する回動弁体と、回動弁体に設けた水の供給用の弁口と、弁本体の孔の壁面における弁口の回動軌跡上の複数箇所にそれぞれ対応する位置に設けた上記複数の流路と連通する複数の流出口とで構成し、回動弁体の回動により弁口と複数の流出口との連通状態が変化するものであることを特徴とする請求項２記載の水流噴出装置。
【発明の詳細な説明】
【技術分野】
【０００１】
本発明は、入浴しながら水流により身体のマッサージができる水流噴出装置に関するものである。
【背景技術】
【０００２】
従来から浴槽に水流（浴水又は気泡入り浴水）を噴出して浴槽に入浴している人に衝突させてマッサージすることが行われている。このような従来例として例えば特許文献１が知られている。
【０００３】
この特許文献１に示された従来例にあっては、浴槽の複数箇所に浴槽に入浴する入浴者に向けて水流を噴出するための噴出口を設けてあるが、噴出口から噴出される水流の噴出方向が一定である。このような噴出口から噴出される水流の噴出方向が一定であると、例えば腰から背中にかけての部位に噴出口から水流を噴出する場合、腰から背中にかけての部位に存在する複数箇所のツボに同時に水流が当たるように腰から背中にかけての広い部位に水流が当たるように噴出するのが一般的である。この場合、異なる位置にある複数のツボに水流が同時に当たるので、身体の特定の一部の部位（例えばツボのある部位）を局部的に集中して効果的なマッサージができないことになり、マッサージ効果が弱いという問題がある。なお、一定方向に噴出する水流が身体のごく狭い部位に局部的に当たるように水流を絞ることが考えられ、このようにすると身体のごく一部の部位のみを集中的にマッサージできるが、該身体のごく一部の部位に水流を当てての集中的なマッサージに引き続いて、近くの別の部位に水流を当ててその部位を集中的にマッサージしようとする場合は、当該別の部位に水流が当たるように浴槽内で身体を動かす必要があり、煩わしくて入浴のリラックス感が損なわれるという問題がある。
【特許文献１】特開２００３−２５０８５４号公報
【発明の開示】
【発明が解決しようとする課題】
【０００４】
本発明は上記の点に鑑みなされたものであって、その目的とするところは、浴槽に入って入浴する入浴者が浴槽内で身体を動かすことなく、入浴者の異なる部位に順番に集中的に水流を当てながら異なる部位をそれぞれ順番に効果的にマッサージできる水流噴出装置を提供することにある。
【課題を解決するための手段】
【０００５】
上記課題を解決するために本発明にあっては、浴槽１に、入浴者Ｍに向けて水流を噴出させるための噴出口２を設け、該噴出口２から水流を噴出する際、噴出方向を変化させつつ噴出させるための噴出方向可変手段３を設けて成ることを特徴とするものである。
【０００６】
このような構成とすることで、噴出口２から浴水又は気泡入りの浴水を噴出して浴槽１に入っている入浴者Ｍに向けて水流を当ててマッサージするに当たり、噴出口２から噴出する水流が噴出方向を変化させつつ噴出することで、入浴者Ｍが身体を動かさなくても入浴者Ｍの身体の水流の当たる部位が連続的に変化し、これにより、水流で押し擦るようにして身体の比較的広い部位を順番にマッサージでき、このように水流により押し擦るようにしてマッサージができるので、身体の異なる部位にある複数のツボを一つずつ順番に集中的に押し擦るように水流を当ててマッサージでき、水流による効果的なマッサージ、特に効果的なツボマッサージが可能となる。
【０００７】
また、噴出口２に異なる方向から水を流入して合流させる複数の流路４を設けると共に、上記複数の流路４に供給する水の流量比を変化させながら合流した水の噴出口２から噴出する方向を可変させるように構成し、上記噴出口２と、噴出口２内に水を流入させて合流させるための複数の流路４と、複数の流路４に供給する水の流量比を可変するための流量可変手段５とで上記噴出方向可変手段３を構成することが好ましい。
【０００８】
このように噴出口２において異なる方向から合流した水の流量比を噴出方向可変手段３により可変することで噴出口２から噴出する水流の噴出方向を可変することができ、複数の流路４に供給する水の流量比を可変するという簡単な構成で噴出口２から水流の噴出方向を変化させながら入浴者Ｍに水流を当てることができ、特に、噴出口２からの噴出方向を変化させるに当たって、浴槽１に設けた噴出口２自体は首振り等機械的に回動させる必要がないので、浴槽１への噴出口２の取付け構造も簡略化できる。
【０００９】
また、上記流量可変手段５を、ポンプ６から供給される水を複数の流路４に流量比を変えながら供給するための電動弁７により構成し、該電動弁７を、弁本体８に設けた孔９に嵌め込まれてモータ１０により回動する回動弁体１１と、回動弁体１１に設けた水の供給用の弁口１２と、弁本体８の孔９の壁面における弁口１２の回動軌跡上の複数箇所にそれぞれ対応する位置に設けた上記複数の流路４と連通する複数の流出口１３とで構成し、回動弁体１１の回動により弁口１２と複数の流出口１３との連通状態が変化するものであることが好ましい。
【００１０】
このような構成とすることで、一つのポンプ６から供給する水を噴出口２に供給するに当たって回動弁体１１の回動により複数の流出口１３から流れる水の流量比を可変しながら供給できて、簡単な構成で流量可変手段５を構成することができると共にポンプ６が一つで良くてコストも低下できる。
【発明の効果】
【００１１】
本発明にあっては、噴出口から水流を噴出して入浴者に水流を当ててマッサージする際、噴出方向を変化させつつ入浴者の身体に身体に当てることができて、噴出浴槽に入って入浴する入浴者が浴槽内で身体を動かすことなく、入浴者の異なる部位に順番に集中的に水流を当てて押し擦すようにして異なる部位をそれぞれ順番に効果的にマッサージできる。
【発明を実施するための最良の形態】
【００１２】
以下、本発明を添付図面に示す実施形態に基づいて説明する。
【００１３】
図１に示すように、浴槽１は一端部側が入浴者Ｍの足先側が位置する足先配置部１４となり、他端部側が入浴者Ｍの頭部側が位置する頭部配置部１５となっており、ここで、本発明においては、上記足先配置部１４側を後、頭部配置部１５側を前と定義し、足先配置部１４と頭部配置部１５とを結ぶ方向を前後方向（Ｘ方向）と定義している。また、平面視において、足先配置部１４と頭部配置部１５とを結ぶ方向である前後方向と直交する方向を左右方向（Ｙ方向）と定義しており、浴槽１が平面視略長方形状、あるいは平面視略楕円形状をしたものにおいては、浴槽１の長辺と平行な方向が前後方向であり、短辺と平行な方向が左右方向である。
【００１４】
入浴者Ｍが、浴槽１内の一端部側である足先配置部１４側に足先側を位置させ且つ他端部側である頭部配置部１５側に頭部側を位置させるという一般的な浴槽１への入浴姿勢を取って入浴した場合、図１に示すように、入浴者Ｍの臀部を浴槽１の底面部１９の前側端部（頭部配置部１５側の端部）寄りの部分に置いて背中を頭部配置部１５側（前側）の側壁部１６ａに当接又は僅かな隙間をあけて対向させて沿わせると共に、下肢を緩やかにく字状に曲げて足先を足先配置部１４側（後側）の側壁部１６ｂの下部又は底面部１９の足先配置部１４側の端部付近に位置させるという入浴姿勢となるものである。この場合、両碗を身体の両側に自然に沿わせると、両碗は身体の胴部分の両側から両下肢の大腿部に沿って配置される姿勢となる。
【００１５】
ここで頭部配置部１５側（前側）の側壁部１６ａは、入浴者Ｍが上記のような一般的な入浴姿勢を取って、入浴者Ｍの臀部を浴槽１の底面部１９の前側端部（頭部配置部１５側の端部）寄りの部分に置いた場合、背中を沿わせることができるように他の側壁部に比べて緩やかに傾斜している。
【００１６】
上記のような一般的な入浴姿勢で入浴した場合、底面部１９は前側の端部寄りの部位が臀部置き部１７となり、底面部１９の後側端部と上記臀部置き部１７との間の部分の上方が入浴者の下肢が位置する下肢配置部１８となっている。
【００１７】
浴槽１の底面部１９や側壁部１６（前側の側壁部１６ａ、後側の側壁部１６ｂ、左右の側壁部１６ｃ）には浴水又は気泡入り浴水を浴槽１に入って上記のような一般的な入浴姿勢をとって入浴している入浴者Ｍの身体の一部に向けて浴水や気泡入り浴水等の水流を噴出するための噴出口２が設けてある。
【００１８】
また、浴槽１の側壁部１６には浴槽１内の浴水を吸い込むための吸い込み口２０が設けてあり、吸い込み口２０と噴出口２とが循環用水路２１により連通接続してある。該循環用水路２１の途中にはポンプ６が設けてあり、ポンプ６を駆動することで浴槽１内の浴水を吸い込んで噴出口２に供給し、噴出口２から浴槽１内に噴出するようになっている。
【００１９】
図中３５は上記ポンプ６及び後述の電動弁７のモータ１０の駆動を制御するための制御部である。
【００２０】
ここで、図１に示すように循環用水路２１にエジェクター作用により先端が空気取り入れ口２２となった空気供給管２３から空気を吸い込んで浴水に混入して噴出口２から気泡入り浴水を噴出するようにしてもよい。
【００２１】
上記のように噴出口２から浴水又は気泡入りの浴水を浴槽１内に噴出して入浴者Ｍの身体に水流を当ててマッサージするに当たって、本発明においては、該噴出口２から噴出する水流の噴出方向を変化させつつ噴出させるようにした噴出方向可変手段３を備えている。
【００２２】
噴出口２は浴槽１の底面部１９や側壁部１６に取付けられるノズル体２４に設けてある。ノズル体２４には噴出口２に異なる交差する方向から水を流入させて噴出口２内で合流させてるための複数の流路４が形成してある。
【００２３】
図４（ｂ）示す実施形態では噴出口２はノズル体２４に断面略Ｖ字状をし且つノズル体２４の前面部に開口したＶ字状溝２ａを形成することで構成してあり、Ｖ字状溝２ａよりなる噴出口２の底部の一方の片側半部の傾斜底面２５ａ及び他の片側半部の傾斜底面２５ｂにそれぞれ第１の開口２６ａ、第２の開口２６ｂが設けてある。また、ノズル体２４の両側面部の後端部に第１入口２７ａ、第２入口２７ｂを設け、第１入口２７ａと噴出口２の底部の第１の開口２６ａとを第１の流路４ａで連通させると共に第２入口２７ｂと噴出口２の底部の第２の開口２６ｂとを第２の流路４ｂで連通させてある。ここで、第１の流路４ａと第２の流路４ｂとは流路の延長線がＶ字状溝２ａ内で互いに交差するように逆方向に傾斜した関係となっている。
【００２４】
循環用水路２１の途中のポンプ６と噴出口２との間にはポンプ６から供給される水を複数の流路４（図４（ｂ）の実施形態では第１の流路４ａと第２の流路４ｂ）に流量比を変えながら供給するための流量可変手段５を構成する電動弁７が設けてある。
【００２５】
電動弁７は図５に示すように弁本体８と、弁本体８の孔９に回動自在に嵌め込まれた回動弁体１１と、回動弁体１１を回動するためのモータ１０とより構成してある。
【００２６】
回動弁体１１には一端が軸方向の端部に開口した通水孔２９が設けてあり、通水孔２９の他端は回動弁体１１の側面部に設けた弁口１２に連通している。弁本体８の孔９の壁面における弁口１２の回動軌跡上の複数箇所にそれぞれ対応する位置に複数の流出口１３が設けてある（図５の実施形態には第１の流出口１３ａ、第２の流出口１３ｂを周方向に隔設して設けた例が示してある）。
【００２７】
弁本体８には回動弁体１１の通水孔２９の軸方向の一端の開口に常時連通する流入孔３０が設けてあり、この流入孔３０は循環用水路２１の一部を構成する配管２１ａによりポンプ６と連通接続してある。また、循環用水路２１の弁本体８とノズル体２４との間の部分は複数の分岐配管２１ｂ、２１ｃにより構成してあり、実施形態では第１の流出口１３ａとノズル体２４の第１入口２７ａとが分岐配管２１ｂにより連通接続してあり、第２の流出口１３ｂとノズル体２４の第２入口２７ｂとが分岐配管２１ｃにより連通接続してある。
【００２８】
ここで、ポンプ６をオンにした状態で回動弁体１１をモータ１０で回動することで図５（ｂ）のように第１の流出口１３ａにのみ水が流れる状態から、第１の流出口１３ａと第２の流出口１３ｂの両方に流量比を変えながら流れる状態（図５（ｃ）には流量比が等しい段階を示す）を経て、図５（ｄ）のように第２の流出口１３ｂのみに水が流れる状態というように、第１の流出口１３ａと第２の流出口１３ｂへの水の流れる流量比を変化させながら噴出口２に水を供給することができるようになっている。
【００２９】
このように、ポンプ６を運転して電動弁７を介して水を噴出口２に供給するのであるが、モータ１０を駆動して回動弁体１１を回転することで、第１の流出口１３ａと第２の流出口１３ｂへの水の流れる流量比が変化しながら第１の開口２６ａ、第２の開口２６ｂから噴出口２内に供給されて噴出口２内で合流し、合流した水流が噴出口２から外部に噴出されることになる。この場合、噴出口２で合流した水は第１の流路４ａの先端の第１の開口２６ａと第２の流路４ｂの先端の第２の開口２６ｂから噴出口２内に供給される流量比が変化することでその噴出口２からの噴出する水流の噴出方向を略扇状の角度の範囲内で連続して変化させることになる。つまり、図５（ｂ）のように第１の流出口１３ａにのみ水が流れる時は噴出口２からの水流の噴出方向は図４（ｂ）の矢印イ方向となり、回動弁体１１が回転していって図５（ｃ）のように第１の流出口１３ａ、第２の流出口１３ｂとの流量比が同じになると図４（ｂ）の矢印ロ方向となり、更に、回動弁体１１が回転していって図５（ｄ）のように第２の流出口１３ｂのみに水が流れる時は噴出口２からの水流の噴出方向は図４（ｂ）の矢印ハ方向となる。更に回動弁体１１が回動すると矢印ハ方向から矢印ロ方向を経て再び矢印イ方向となる。このように噴出口２から矢印イ方向から矢印ハ方向の範囲内で水流の噴出方向を変えながら噴出するようになっており、本実施形態では噴出口２内に開口した第１の開口２６ａと第２の開口２６ｂと、第１の開口２６ａと第２の開口２６ｂから供給される水流の流量比を変化させるための前述の電動弁７により噴出口２から浴水又は気泡入り浴水を噴出する際、水流の噴出方向を変化させながら噴出させるための噴出方向可変手段３を構成している。
【００３０】
図６には上記図上記実施形態におけるポンプ６を出力一定で連続運転している際に同時に回動弁体１１を一方向に連続して回転している時の第１の流路４ａと第２の流路４ｂの流量比の変化と、噴出方向との関係を示すタイムチャートを示しており、図６において水量Ｓはポンプ６からの供給水量を示している。また、図６の１サイクル時間Ｔはモータ１０の回転速度の設定により任意に設定が可能である。
【００３１】
上記のように浴槽１に設けた噴出口２から入浴者Ｍに向けて水流を噴出する際、噴出方向可変手段３により噴出口２からの水流の噴出方向を変化させつつ噴出させることで、入浴者Ｍが身体を動かさなくても入浴者Ｍの身体の水流の当たる部位が連続的に変化していき、これにより、入浴者Ｍの身体を水流で押しながら擦るようにして水流の当たる位置をずらしながら身体の比較的広い部位を順番にマッサージできることになる。このように水流により押し擦るようにしてマッサージができるので、身体の異なる部位にある複数のツボを一つずつ順番に集中的に押し擦るように水流を当ててツボマッサージを効果的にできる。
【００３２】
図７（ａ）には噴出方向可変手段３の他の実施形態が示してある。図７（ａ）に示す実施形態においては、ノズル体２４にはＶ字状溝部３９が設けてあり、該Ｖ字状溝部３９内に有底筒状をしたノズル用回動体４０が回動軸４１により回動自在に取付け取付けてあり、該回動軸４１はモータ４７により回動するようになっている。Ｖ字状溝部３９の側壁に円弧状をした長孔４２が設けてあり、ノズル体２４の側壁に設けた入口４３と長孔４２とを通路４５が連通している。ノズル用回動体４０は有底筒状をしていて先端開口が噴出口２となっており、また、ノズル用回動体４０の後部側壁部には孔４６が設けてあり、該孔４６は長孔４２と連通しており、ノズル用回動体４０がモータ４７の駆動により回動軸４１を中心に往復回動する際、長孔４２の一部が孔４６と連通し、入口４３から供給された水が長孔４２、孔４６を経て回動するノズル用回動体４０内に入って先端の噴出口２から外部にその噴出方向を変えながら噴出するようになっている。したがって、本実施形態ではＶ字状溝部３９を設けたノズル体２４、Ｖ字状溝部３９内に回動自在に取付けられたスイングノズルとなるノズル用回動体４０、モータ４７等により噴出方向可変手段３を構成している。
【００３３】
また、図７（ｂ）には噴出方向可変手段３の更に他の実施形態が示してある。図７（ｂ）に示す実施形態の噴出方向可変手段３は以下の構成となっている。すなわち、ノズル体２４に凹部４９が設けてあり、側壁に設けた入口４３と凹部４９側壁に設けた出口６０とを通路６１により連通しており、出口６０に後端を接続した筒状をしたスイングノズルとなるフレキシブルなノズル用回動体４０が凹部４９内に配置してあり、該ノズル用回動体４０の上部と凹部４９の側壁との間に引っ張り又は圧縮用のばね材６２を介在し、ばね材６２により図７（ｂ）の想像線のようにノズル用回動体４０をほぼ垂直となるように保持していてこの状態で出口６０からの水流の吐出する方向と筒状をしたフレキシブルなノズル用回動体４０とがほぼ直交している。今、入口４３から供給された水が出口６０からノズル用回動体４０内に流入すると、出口６０から出た水流に押されてノズル用回動体４０がばね材６２のばね力に抗して図７（ｂ）の想像線の状態から実線のように回動してノズル用回動体４０の先端の噴出口２から噴出するのであるが、この場合、供給する水の流量を変えることでノズル用回動体４０の回動角度を変化させることができる。つまり、供給する水の流量を次第に増加させていき、その後、次第に減少させていくという動作を繰り返すことで噴出方向を可変しながら噴出しつづけることができる。
【００３４】
また、図７（ｃ）には噴出方向可変手段３の更に他の実施形態が示してある。図７（ｃ）に示す実施形態の噴出方向可変手段３は流量比可変タイプの噴出方向可変手段３の実施形態であり、以下の構成となっている。すなわち、図７（ｃ）に示す実施形態においては、ノズル体２４に先端開口が噴出口２となった凹部４９を設け、凹部４９内に噴出方向変更板６３が回動自在に内装し、ノズル体２４の両側部に第１流水路６４、第２流水路６５が設けてあり、第１流水路６４、第２流水路６５は噴出方向変更板６３の後端部を介して凹部４９の両側壁の下部の互いに対向する位置においてそれぞれ開口している。そして、第１流水路６４、第２流水路６５から流れる水の流量比を変化させることで、噴出方向変更板６３が緩やかに回動し、凹部４９の噴出口２である先端開口からの噴出方向が変化してスイングノズルとなる。
【００３５】
これらの実施形態においても前述の実施形態と同様に噴出方向可変手段３により噴出口２から噴出方向を変更しながら噴出して入浴者Ｍが身体を動かさなくても入浴者Ｍの身体の水流の当たる部位が連続的に変化していき、これにより、入浴者Ｍの身体を水流で押しながら擦るようにして水流の当たる位置をずらしながら身体の比較的広い部位を順番にマッサージできることになる。
【００３６】
上記のように噴出方向を変えながら水流が噴出するようになった噴出口２を浴槽１に設けるに当たり、例えば、図１のように頭部配置部１５側（前側）の側壁部１６ａに噴出口２を配置し、該噴出口２から噴出する水流の噴出方向が水直面内で変化するようにすると、浴槽１に通常の入浴姿勢で入浴している入浴者Ｍの腰から背中にかけての部位を腰側から背中側に、あるいは背中側から腰側に順番に水流を当てて腰から背中にかけての異なる部位に存在する「腎兪（添付図面で符号１００で示す）」、「胃兪（添付図面で符号１０１で示す）」、「肝兪（添付図面で符号１０２で示す）」、「心兪（添付図面で符号１０３で示す）」というツボに順番に集中的に水流を当てながら各ツボを順番にツボマッサージができることになる。この場合、「腎兪」、「胃兪」、「肝兪」、「心兪」という各ツボは左右に１個ずつあるので、前側の側壁部１６ａに左右２個上記噴出口２を設けるようにする。
【００３７】
また、図２のように浴槽１の足先配置部１４側（後側）の側壁部１６ｂの下部の左右方向の中央位置に噴出口２を配置して該噴出口２から噴出する水流の噴出方向が水平面内で変化するよう設けると、入浴者Ｍが両足先を足先配置部１４に配置する際に、左右の足先がそれぞれ上記噴出口２の左右両側に位置するように配置することで左右両足先の各内くるぶしの下の部分に左右順番交代に水流が当たり、左右両足先の内くるぶしの下の部分に在る「照海（添付図面で符号１０４で示す）」というツボをそれぞれ左右順番交代に集中的に順番ツボマッサージすることができる。
【００３８】
また、図３のように浴槽１の頭部配置部１５側（前側）の側壁部１６ａに噴出口２を配置すると共に、足先配置部１４側（後側）の側壁部１６ｂの下部の左右方向の中央位置に噴出口２を配置して、上記のように腰から背中にかけての異なる部位に存在する「腎兪」、「胃兪」、「肝兪」、「心兪」というツボに順番に集中的に水流を当てながら各ツボを順番にツボマッサージをしたり、左右両足先の内くるぶしの下の部分に在る「照海」というツボをそれぞれ左右順番交代に集中的に順番ツボマッサージしたりするようにしてもよい。
【００３９】
もちろん、上記した例にのみ限定されず、浴槽１の側壁部１６の他の位置や底面部１９に噴出方向が変化しながら水流を噴出するようにした噴出口２を設けてもよく、上記以外の入浴者Ｍの異なる部位に在る複数のツボに順番に水流を当てて水流により複数のツボを順番に押圧して擦るようにしてツボマッサージを行わせるようにしてもよい。
【００４０】
また、図８には噴出方向可変手段３の更に他の実施形態が示してある。本実施形態においては、循環用水路２１が２つの水路２１ｄ、２１ｅにより構成してあり、各水路２１ｄ、２１ｅにはそれぞれポンプ６ａ、６ｂが設けてあり、また、各水路２１ｄ、２１ｅの一端部がそれぞれ浴槽１の側壁部１６に設けた吸い込み口２０に連通接続してあり、一方の水路２１ｄの他端がノズル体２４に設けた一方の流路４である第１の流路４ａに連通接続してあると共に他方の水路２１ｄの他端がノズル体２４に設けた他方の流路４である第２の流路４ｅに連通接続してある。
【００４１】
この実施形態においては、２つのポンプ６ａ、６ｂによる第１の流路４ａ、第２の流路４ｂへの水の供給量をそれぞれ変化させることで、第１の流路４ａ、第２の流路４ｂから噴出口２内に異なる方向から供給されて合流する水の流量比を変化させ、これにより噴出口２から噴出する水流の噴出方向を変化させながら噴出するようにしてもよい。この場合、例えば、一方のポンプ６ａからの水の供給量を最初は多く、次第に少なくなるように制御すると共に、他方のポンプ６ａからの水の供給量を最初は少なく、次第に多くなるように制御することで、合流する水の噴出方向を前述の電動弁７を設けた例と同様に変化させることができる。
【図面の簡単な説明】
【００４２】
【図１】本発明の一実施形態を示し、（ａ）は側断面図であり、（ｂ）は平面図である。
【図２】同上の他の実施形態を示し、（ａ）は側断面図であり、（ｂ）は平面図である。
【図３】同上の更に他の実施形態を示し、（ａ）は側断面図であり、（ｂ）は平面図である。
【図４】同上の噴出方向を連続的に変化させる噴出方向可変手段の一実施形態を示し、（ａ）は概略配管構成図であり、（ｂ）は同上のノズル体の断面図である。
【図５】同上に用いる電動弁の一実施形態を示し、（ａ）は平面図であり、（ｂ）（ｃ）（ｄ）はそれぞれ回動弁体の回動状態を示す説明図である。
【図６】同上のノズル体の第１入口から供給される水の供給量と第２入口から供給される水の供給量との関係を示すグラフである。
【図７】（ａ）（ｂ）（ｃ）はそれぞれ同上の噴出方向を連続的に変化させる噴出方向可変手段の他の実施形態を示す断面図である。
【図８】本発明の更に他の実施形態の側断面図である。
【符号の説明】
【００４３】
１  浴槽
２  噴出口
３  噴出方向可変手段
４  流路
５  流量可変手段
６  ポンプ
７  電動弁
８  弁本体
９  孔
１０  モータ
１１  回動弁体
１２  弁口
１３  流出口
Ｍ  入浴者
【図１】
2006325992.tif 000003
【図２】
2006325992.tif 000004
【図３】
2006325992.tif 000005
【図４】
2006325992.tif 000006
【図５】
2006325992.tif 000007
【図６】
2006325992.tif 000008
【図７】
2006325992.tif 000009
【図８】
2006325992.tif 000010